(57)【特許請求の範囲】
【請求項１】
通信イネーブル信号と通信クロック信号を用いてインターホンシリアルデータを送信側から受信側に伝送するにあたり、前記送信側から前記通信イネーブル信号と前記通信クロック信号をそれぞれ異なるレベルで同一線上で送信し、前記通信イネーブル信号を出力中に前記インターホンシリアルデータ信号と前記通信クロック信号を同期させながら送信し、前記受信側において前記通信イネーブル信号と前記通信クロック信号をそれぞれ異なる閾値で弁別して受信することを特徴とするインターホン信号伝送方式。
【発明の詳細な説明】
【０００１】
【発明の属する技術分野】
【０００２】
本発明はインターホン信号伝送方式に係わり、特にインターホンデータ通信において省線化を図ることができるインターホン信号伝送方式に関する。
【従来の技術】
【０００３】
従来から、この種のインターホン、特に特別養護老人ホーム／老人保健施設向けインターホンのインターホン信号伝送システムとして図３に示すものが提案されている。
【０００４】
同図において、インターホン信号伝送システムは、制御機２１と、制御機２１に接続されたインターホン２２とから成る。
【０００５】
制御機２１とインターホン２２は、通信イネーブル信号２３、通信クロック信号２４、インターホンシリアルデータ信号２５のそれぞれの信号線、コモン線２６で接続されている。
【０００６】
このように構成されたインターホン信号伝送システムにおいて、制御機２１からインターホン２２へインターホンシリアルデータ信号２５を送信する場合、制御機２１は通信イネーブル信号２３を出力中にインターホンシリアルデータ信号２５と通信クロック信号２４を同期させながら１bitずつ送信する。インターホンシリアルデータ信号２５のデータ送信が終了すると通信イネーブル信号２３の出力を停止させる。
【発明が解決しようとする課題】
【０００７】
従来のインターホン信号伝送システムにおけるシリアル通信システムでは、データ通信のために４本の信号線が必要であるという欠点があった。したがって、データ通信において省線化を図ることが要望されていた。
【発明の目的】
【０００８】
本発明は上述した難点に鑑みなされたもので、データ通信のために必要な信号線の数を減らして省線化に寄与するインターホン信号伝送方式を提供することを目的としている。
【課題を解決するための手段】
【０００９】
この目的を達成するため本発明のインターホン信号伝送方式は、通信イネーブル信号と通信クロック信号を用いてインターホンシリアルデータを送信側から受信側に伝送するにあたり、送信側から通信イネーブル信号と通信クロック信号をそれぞれ異なるレベルで同一線上で送信し、通信イネーブル信号を出力中にインターホンシリアルデータ信号と通信クロック信号を同期させながら送信し、受信側において通信イネーブル信号と通信クロック信号をそれぞれ異なる閾値で弁別して受信することにある。
【００１０】
このインターホン信号伝送方式において、送信側から通信イネーブル信号と通信クロック信号をそれぞれ異なるレベルで同一線上で送信し、受信側において通信イネーブル信号と通信クロック信号をそれぞれ異なる閾値で弁別して受信することにより、データ通信のために必要な信号線の数を減らして省線化に寄与することができる。
【発明の実施の形態】
【００１１】
以下、本発明のインターホン信号伝送方式を実施したインターホン信号伝送システムにおける好ましい実施の形態例を図面にしたがって説明する。
【００１２】
図１において、本発明のインターホン信号伝送方式を実施したインターホン信号伝送システムは、制御機１と、制御機１に接続されたインターホン２とから成る。
【００１３】
制御機１とインターホン２は、通信イネーブル信号Ａ、通信クロック信号Ｂを重畳してイネーブル・クロック合成信号Ｄを同一線上で送信するイネーブル・クロック合成信号線３、インターホンシリアルデータ信号Ｃを送信するデータ線４、共通グランド（アース）となるコモン線５の各信号線で接続されている。
【００１４】
制御機１において、通信イネーブル信号Ａ、通信クロック信号Ｂは、それぞれベース抵抗Rib、Rcb、トランジスタTri、Trc、コレクタ抵抗Ri、Rcを介してイネーブル・クロック合成信号線３に印加されるように接続されている。なお、抵抗Ri、Rcの抵抗値はRi＞Rcに設定されている。
【００１５】
インターホンシリアルデータ信号Ｃは、ベース抵抗Rdb、トランジスタTrdを介してデータ線４に印加されるように接続されている。
【００１６】
インターホン２において、イネーブル・クロック合成信号線３は、コンパレータＣｉ、Ｃcの−入力端子にそれぞれ接続されている。基準電位Ｖｃｃは、抵抗Ｒ１を介してイネーブル・クロック合成信号線３に印加されると共に、順に抵抗Ｒ2、Ｒ3、Ｒ4を介してコモン線５が接続されている共通グランド（アース）に接続され、抵抗Ｒ2、Ｒ3間、抵抗Ｒ3、Ｒ4間からコンパレータＣｉ、Ｃcの＋入力端子にそれぞれ基準電圧Ｅａ、Ｅｂが印加されるように接続されている。なお、コンパレータＣｉの基準電圧Ｅａは、コンパレータＣcの基準電圧Ｅｂよりも大きく設定されている（Ｅａ＞Ｅｂ）。
【００１７】
コンパレータＣｉ、コンパレータＣcの出力側はそれぞれ抵抗Ｒ5、Ｒ6を介して基準電位Ｖｃｃが与えられ、かつコンパレータＣｉ、コンパレータＣcの出力（分離されたイネーブル信号Ｅ、分離されたクロック信号Ｆ）はそれぞれ
シリアルパラレル変換器Ｓｒのイネーブル端子ENT、クロック端子CLTに入力されるように接続されている。
【００１８】
データ線４は、ベース抵抗Ｒ7、トランジスタTrd2に印加されるように接続され、基準電位ＶｃｃがトランジスタTrd2のエミッタに与えられ、トランジスタTrd2のコレクタは抵抗Ｒ8を介してコモン線５が接続されている共通グランド（アース）に接続され、トランジスタTrd2のコレクタから出力されるデータ信号Ｃがシリアルパラレル変換器Ｓｒの入力端子INTに入力されるように接続されている。
【００１９】
これらの通信イネーブル信号Ａ、通信クロック信号Ｂ、インターホンシリアルデータ信号Ｃ、イネーブル・クロック合成信号Ｄ、分離されたイネーブル信号Ｅ、分離されたクロック信号Ｆの各信号例を図２に示す。
【００２０】
このように構成されたインターホン信号伝送システムにおいて、制御機１からインターホン２へインターホンシリアルデータ信号Ｃを伝送しようとする場合、制御機１は、通信イネーブル信号Ｅを出力中にインターホンシリアルデータ信号Ｃと通信クロック信号Ｂを同期させながら１bitずつ送信し、そのトランジスタTri、Trc、Trdを通信イネーブル信号Ａ、通信クロック信号Ｂ、インターホンシリアルデータ信号Ｃ（図２）のタイミングで動作させる。この場合、通信イネーブル信号Ａ、通信クロック信号ＢはそれぞれトランジスタTri、Trcで反転され、抵抗Ri、Rcの抵抗値がRi＞Rcであるので、異なるレベルの電圧Ｅａ、Ｅｂとしてイネーブル・クロック合成信号線３上にイネーブル・クロック合成信号Ｄとして重畳されて送信される。
【００２１】
インターホン２において、イネーブル・クロック合成信号線３によって送信されたイネーブル・クロック合成信号Ｄは、コンパレータＣｉ、Ｃcに印加されるが、コンパレータＣｉの基準電圧ＥａがコンパレータＣcの基準電圧Ｅｂよりも大きく設定されている（Ｅａ＞Ｅｂ）ので、異なる閾値である基準電圧Ｅａ、Ｅｂにより通信イネーブル信号Ｅと通信クロック信号Ｆに弁別されて分離される。この場合、コンパレータＣｉからの分離されたイネーブル信号Ｅがシリアルパラレル変換器Ｓｒのイネーブル端子ENTに入力されてシリアルパラレル変換器Ｓｒの動作を有効とし、コンパレータＣcからの分離されたクロック信号Ｆはシリアルパラレル変換器Ｓｒのクロック端子CLTに入力され、シリアルパラレル変換器Ｓｒの入力端子INTに入力されるインターホンシリアルデータを同期をとりながらシリアルパラレル変換させるよう動作する。
【００２２】
このため、制御機１がイネーブル信号Ｅの出力中に、インターホン２では、分離されたクロック信号Ｆに同期してインターホンシリアルデータ信号Ｃのデータ受信が可能となる。
【００２３】
制御機１は、インターホンシリアルデータ信号Ｃのデータ送信が終了すると、イネーブル信号Ｅの出力を停止させる。
【００２４】
このように、このインターホン信号伝送システムでは信号線の数を減らし省線化を図った状態で制御機１がイネーブル信号Ｅの出力中に、インターホン２において、分離されたクロック信号Ｆに同期してインターホンシリアルデータ信号Ｃのデータ受信が可能となる。
【発明の効果】
【００２５】
以上の説明から明らかなように、本発明のインターホン信号伝送方式によれば、データ通信のために必要な信号線の本数を減らして省線化に寄与することができる。
【図面の簡単な説明】
【図１】  本発明のインターホン信号伝送方式によるインターホン信号伝送システムの一実施例を示す図。
【図２】  本発明のインターホン信号伝送方式によるインターホン信号伝送システムにおける各信号を示す図。
【図３】  従来のインターホン信号伝送システムを示す図。
【符号の説明】
Ａ‥‥‥通信イネーブル信号
Ｂ‥‥‥通信クロック信号
Ｃ‥‥‥インターホンシリアルデータ
１‥‥‥送信側（制御機）
２‥‥‥受信側（インターホン）
３‥‥‥同一線（イネーブル・クロック合成信号線）
Ｅａ、Ｅｂ‥‥‥異なるレベル〔異なる閾値（基準電圧）〕
【図１】
0003839591.tif 000002
【図２】
0003839591.tif 000003
【図３】
0003839591.tif 000004